(57)【要約】【課題】マット自体を替えることなく、広告を差し替えることができ、広告内容の変更要求に適時に対応することができる広告機能付きフロアーマットを提供する。【解決手段】広告機能付きフロアーマット１０Ａは、ゴム系素材から作られた固定フレーム１１と、フレーム１１に囲まれた部分を覆う透明な支持プレート１２と、ゴム系素材から作られてフレーム１１およびプレート１２の下方に配置される所定面積の設置マット１３と、所定の広告が表示された広告シート１４とから構成され、設置マット１３の周縁部に形成された嵌入凸部をフレーム１１の内周縁部に形成された嵌入凹部に嵌入させることで、広告シート１４が支持プレート１２の下面と設置マット１３の上面との間に挟み込まれた状態で固定される。【選択図】図１
2012220543.tif 000002
【特許請求の範囲】
【請求項１】
ゴム系素材から作られた固定フレームと、前記固定フレームに囲まれた部分を覆う所定面積の透明な支持プレートと、前記ゴム系素材から作られて前記固定フレームおよび前記支持プレートの下方に配置される所定面積の設置マットと、所定の広告が表示されて前記支持プレートと前記設置マットとの間に着脱可能に配置される広告シートとから構成され、
前記支持プレートの周縁部が、所定の固定手段を介して前記固定フレームの内周縁部に固定され、前記固定フレームの上下方向上方へ凹む嵌入凹部が、該フレームの内周縁部のうちの前記支持プレートの周縁部を固定した固定部分の外側近傍に形成され、前記設置マットの上下方向上方へ凸となって前記嵌入凹部に挿脱可能に嵌入する嵌入凸部が、該設置マットの周縁部に形成され、前記嵌入凸部を前記嵌入凹部に嵌入させることで、前記広告シートが前記支持プレートの下面と前記設置マットの上面との間に挟み込まれた状態で固定されることを特徴とする広告機能付きフロアーマット。
【請求項２】
前記フロアーマットでは、前記固定フレームの内周縁部のうちの前記支持プレートの周縁部を固定した固定部分が該フレームの外周縁部の下面よりも上下方向上方に位置し、前記固定フレームの固定部分と外周縁部の下面との間に段差が形成され、前記設置マットの嵌入凸部を前記固定フレームの嵌入凹部に嵌入させたときに、該設置マットの下面と該フレームの外周縁部の下面とが同一平面になる請求項１記載の広告機能付きフロアーマット。
【請求項３】
前記フロアーマットでは、前記設置マットを形成するゴム系素材の柔軟性が前記固定フレームを形成するゴム系素材のそれよりも大きく、前記設置マットの嵌入凸部を前記固定フレームの嵌入凹部に嵌入させるときに、前記嵌入凸部が弾性変形しつつ前記嵌入凹部に圧入される請求項１または請求項２に記載の広告機能付きフロアーマット。
【請求項４】
前記フロアーマットでは、前記設置マットを形成するゴム系素材の摩擦係数が前記固定フレームを形成するゴム系素材のそれよりも大きい請求項１ないし請求項３いずれかに記載の広告機能付きフロアーマット。
【請求項５】
ゴム系素材から作られた所定面積の設置マットと、所定面積の透明な支持プレートと、所定の広告が表示されて前記設置マットと前記支持プレートとの間に着脱可能に配置される広告シートとから構成され、
前記設置マットが、前記広告シートを載置する中央載置部と、前記中央載置部を囲繞する周縁部と、前記周縁部から前記中央載置部に向かって張り出すとともにその下面が該中央載置部の周縁部分の上面に重なる支持フランジとを有し、前記支持プレートが、前記支持フランジの下面と前記中央載置部の周縁部分の上面との間に着脱可能に挿入される周縁部と、前記中央載置部に重なる広告目視部とを有し、
前記広告シートを前記設置マットの中央載置部に載置した後、前記支持プレートの周縁部を前記支持フランジの下面と前記中央載置部の周縁部分との間に挿入することで、前記広告シートが前記支持プレートの下面と前記設置マットの上面との間に挟み込まれた状態で固定されることを特徴とする広告機能付きフロアーマット。
【請求項６】
前記フロアーマットでは、前記設置マットの平面形状が方形に成型され、該設置マットの４つの角部のうちの一方向へ離間して並ぶ２つの角部に位置する支持フランジに該設置マットの径方向へ延びる切り込みが形成されている請求項５記載の広告機能付きフロアーマット。
【請求項７】
前記支持プレートが、前記設置マットに対向する透明なＰＥＴ樹脂シートと、前記ＰＥＴ樹脂シートの前記設置マットに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項１ないし請求項６いずれかに記載の広告機能付きフロアーマット。
【発明の詳細な説明】
【技術分野】
【０００１】
本発明は、広告機能を備えた広告機能付きフロアーマットに関する。
【背景技術】
【０００２】
足拭きマットの製造およびレンタルを行う足拭きマット事業者と、足拭きマット事業者との契約によって足拭きマットに広告を掲載する広告主と、足拭きマット事業者との契約によって広告が掲載された各種広告付き足拭きマットの設置場所を提供する場所提供者との関係から構築された広告方法がある（特許文献１参照）。この広告方法は、足拭きマット事業者が広告主からの依頼により、製造およびレンタル契約した足拭きマットに広告を掲載し、その広告付き足拭きマットを場所提供者の提供する設置場所において利用者の多くなる時期に応じて選択的に移動設置し、広告付き足拭きマットの設置期間に応じた対価を足拭きマット事業者が場所提供者に支払う。この広告方法は、広告付き足拭きマットを利用者の多くなる時期に応じて選択的に移動設置するから、広告付き足拭きマットの宣伝効果を向上させることができる。
【先行技術文献】
【特許文献】
【０００３】
【特許文献１】特開２００４−１７０８４６号公報
【発明の概要】
【発明が解決しようとする課題】
【０００４】
前記特許文献１に開示の広告方法に使用するマットは、その足拭き部分の表面に所定の広告を掲載するから、広告の内容を変更する場合、マット自体を別の広告を掲載したそれと差し替えなければならず、その分の手間と費用とがかかる。また、この広告方法に使用するマットは、それを残した状態で広告の差し替えを行うことができず、広告内容を自由に替えることができないから、一つのマットで多種多様な広告を掲載することができず、広告内容の変更要求に適時に対応することができない。
【０００５】
本発明の目的は、マット自体を替えることなく、広告を差し替えることができ、広告内容の変更要求に適時に対応することができる広告機能付きフロアーマットを提供することにある。
【課題を解決するための手段】
【０００６】
前記課題を解決するための本発明にかかる第１の広告機能付きフロアーマットは、ゴム系素材から作られた固定フレームと、固定フレームに囲まれた部分を覆う所定面積の透明な支持プレートと、ゴム系素材から作られて固定フレームおよび支持プレートの下方に配置される所定面積の設置マットと、所定の広告が表示されて支持プレートと設置マットとの間に着脱可能に配置される広告シートとから構成され、支持プレートの周縁部が所定の固定手段を介して固定フレームの内周縁部に固定され、固定フレームの上下方向上方へ凹む嵌入凹部がフレームの内周縁部のうちの支持プレートの周縁部を固定した固定部分の外側近傍に形成され、設置マットの上下方向上方へ凸となって嵌入凹部に挿脱可能に嵌入する嵌入凸部が設置マットの周縁部に形成され、嵌入凸部を嵌入凹部に嵌入させることで、広告シートが支持プレートの下面と設置マットの上面との間に挟み込まれた状態で固定されることを特徴とする。
【０００７】
前記第１の広告機能付きフロアーマットの一例としては、固定フレームの内周縁部のうちの支持プレートの周縁部を固定した固定部分がフレームの外周縁部の下面よりも上下方向上方に位置し、固定フレームの固定部分と外周縁部の下面との間に段差が形成され、設置マットの嵌入凸部を固定フレームの嵌入凹部に嵌入させたときに、設置マットの下面とフレームの外周縁部の下面とが同一平面になる。
【０００８】
前記第１の広告機能付きフロアーマットの他の一例としては、設置マットを形成するゴム系素材の柔軟性が固定フレームを形成するゴム系素材のそれよりも大きく、設置マットの嵌入凸部を固定フレームの嵌入凹部に嵌入させるときに、嵌入凸部が弾性変形しつつ嵌入凹部に圧入される。
【０００９】
前記第１の広告機能付きフロアーマットの他の一例としては、設置マットを形成するゴム系素材の摩擦係数が固定フレームを形成するゴム系素材のそれよりも大きい。
【００１０】
前記課題を解決するための本発明にかかる第２の広告機能付きフロアーマットは、ゴム系素材から作られた所定面積の設置マットと、所定面積の透明な支持プレートと、所定の広告が表示されて設置マットと支持プレートとの間に着脱可能に配置される広告シートとから構成され、設置マットが、広告シートを載置する中央載置部と、中央載置部を囲繞する周縁部と、周縁部から中央載置部に向かって張り出すとともにその下面が中央載置部の周縁部分の上面に重なる支持フランジとを有し、支持プレートが、支持フランジの下面と中央載置部の周縁部分の上面との間に着脱可能に挿入される周縁部と、中央載置部に重なる広告目視部とを有し、広告シートを設置マットの中央載置部に載置した後、支持プレートの周縁部を支持フランジの下面と中央載置部の周縁部分との間に挿入することで、広告シートが支持プレートの下面と設置マットの上面との間に挟み込まれた状態で固定されることを特徴とする。
【００１１】
前記第２の広告機能付きフロアーマットの一例としては、設置マットの平面形状が方形に成型され、設置マットの４つの角部のうちの一方向へ離間して並ぶ２つの角部に位置する支持フランジに設置マットの径方向へ延びる切り込みが形成されている。
【００１２】
前記第１および第２の広告機能付きフロアーマットの一例としては、支持プレートが、設置マットに対向する透明なＰＥＴ樹脂シートと、ＰＥＴ樹脂シートの設置マットに対する非対向面に配置された透明な保護シートとから形成され、保護シートが、透明な合成樹脂と前記合成樹脂に練り込まれた透明なセラミック粉末とから作られ、ＰＥＴ樹脂シートの非対向面に塗布された透明なＵＶ樹脂をバインダーとして非対向面に接合されている。
【発明の効果】
【００１３】
フレームの上下方向上方へ凹む嵌入凹部が固定フレームの内周縁部のうちの支持プレートの周縁部を固定した固定部分の外側近傍に形成され、設置マットの上下方向上方へ凸となって嵌入凹部に挿脱可能に嵌入する嵌入凸部が設置マットの周縁部に形成された広告機能付きフロアーマットによれば、設置マットに形成された嵌入凸部を固定フレームに形成された嵌入凹部に嵌入させることで、所定の広告を表示した広告シートが支持プレートの下面と設置マットの上面との間に挟み込まれた状態で固定され、嵌入凸部を嵌入凹部から外すことで、広告シートの固定が解除されるから、固定フレームと設置マットとの間に広告シートを着脱可能に配置することができる。フロアーマットは、透明な支持プレートにおいて所定の広告を表示した広告シートを目視することができるから、フロアーマットを必要な箇所（設置場所）に置くだけで、そのフロアーマットに優れた広告宣伝機能を発揮させることができる。フロアーマットは、それ自体を替えることなく、広告シートを自由に差し替えることができ、広告内容の変更要求に適時に対応することができるのみならず、広告内容に変更が生じたとしても、マット自体を替える必要がないから、その分の手間や費用を省くことができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、広告宣伝効果を最大限に発揮させることができる。
【００１４】
固定フレームの内周縁部のうちの支持プレートの周縁部を固定した固定部分がフレームの外周縁部の下面よりも上下方向上方に位置し、設置マットの嵌入凸部を固定フレームの嵌入凹部に嵌入させたときに、設置マットの下面とフレームの外周縁部の下面とが同一平面になる広告機能付きフロアーマットは、設置マットの嵌入凸部を固定フレームの嵌入凹部に嵌入させたときに、設置マットの下面とフレームの外周縁部の下面とが同一平面になるから、設置場所に置いたマットに部分的に不要な凸凹が生じることはなく、マットの上を通る人のつまずきや物の転倒を防ぐことができる。このフロアーマットは、それ自体を替えることなく、広告シートを自由に差し替えることができるから、広告内容の変更要求に適時に対応することができるとともに、宣伝場所や宣伝目的に合致した最適な広告を行うことができ、宣伝広告効果を最大限に発揮させることができる。
【００１５】
設置マットを形成するゴム系素材の柔軟性が固定フレームを形成するゴム系素材のそれよりも大きく、設置マットの嵌入凸部をフレームの嵌入凹部に嵌入させるときに、嵌入凸部が弾性変形しつつ嵌入凹部に圧入される広告機能付きフロアーマットは、設置マットの嵌入凸部を固定フレームの嵌入凹部に嵌入させたときに、嵌入凸部が嵌入凹部に圧入されるから、嵌入凸部が嵌入凹部から外れ難くなり、嵌入凹部に対する嵌入凸部の嵌入状態を保持することができ、広告シートをマットに確実に支持させることができる。フロアーマットは、その上を人が歩行したとしても、設置マットの嵌入凸部が固定フレームの嵌入凹部から外れることはなく、設置マットと固定フレームとの係合が容易に解除されることによる人のつまずきを防ぐことができる。このフロアーマットは、それ自体を替えることなく、広告シートを自由に差し替えることができるから、広告内容の変更要求に適時に対応することができるとともに、宣伝場所や宣伝目的に合致した最適な広告を行うことができ、宣伝広告効果を最大限に発揮させることができる。
【００１６】
設置マットを形成するゴム系素材の摩擦係数が固定フレームを形成するゴム系素材のそれよりも大きい広告機能付きフロアーマットは、設置場所に接する設置マットの摩擦抵抗が大きく、フロアーマットを設置場所に置いたときに、フロアーマットが設置場所において滑り難く、設置場所におけるフロアーマットの不用意なずれ動きを防ぐことができる。このフロアーマットは、その上を人が歩行したとしても、マットがずれ動くことはなく、マットが容易にずれ動くことによる人のつまずきを防ぐことができる。
【００１７】
設置マットが広告シートを載置する中央載置部と中央載置部を囲繞する周縁部と周縁部から中央載置部に向かって張り出す支持フランジとを有し、支持プレートが支持フランジの下面と中央載置部の周縁部分の上面との間に着脱可能に挿入される周縁部と中央載置部に重なる広告目視部とを有する広告機能付きフロアーマットによれば、支持プレートの周縁部を支持フランジの下面と中央載置部の周縁部分との間に挿入することで、所定の広告を表示した広告シートが支持プレートの下面と設置マットの上面との間に挟み込まれた状態で固定され、支持プレートを支持フランジと中央載置部との間から外すことで、広告シートの固定が解除されるから、支持プレートと設置マットとの間に広告シートを着脱可能に配置することができる。フロアーマットは、透明な支持プレートの広告目視部において所定の広告を表示した広告シートを目視することができるから、フロアーマットを必要な箇所（設置場所）に置くだけで、そのフロアーマットに優れた広告宣伝機能を発揮させることができる。フロアーマットは、それ自体を替えることなく、広告シートを自由に差し替えることができ、広告内容の変更要求に適時に対応することができるのみならず、広告内容に変更が生じたとしても、マット自体を替える必要がないから、その分の手間や費用を省くことができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、広告宣伝効果を最大限に発揮させることができる。
【００１８】
設置マットの平面形状が方形に成型され、設置マットの４つの角部のうちの一方向へ離間して並ぶ２つの角部に位置する支持フランジに設置マットの径方向へ延びる切り込みが形成されている広告機能付きフロアーマットは、切り込みの間に延びる支持フランジを上下方向上方へ捲り上げることができるから、支持プレートの周縁部を支持フランジの下面と中央載置部の周縁部分との間に容易に挿入することができるとともに、支持プレートを支持フランジと中央載置部との間から容易に外すことできる。このフロアーマットは、それ自体を替えることなく、広告シートを容易に差し替えることができるから、広告内容の変更要求に適時に対応することができるとともに、宣伝場所や宣伝目的に合致した最適な広告を行うことができ、宣伝広告効果を最大限に発揮させることができる。
【００１９】
支持プレートが透明なＰＥＴ樹脂シートと透明な保護シートとから形成され、保護シートが透明な合成樹脂と合成樹脂に練り込まれた透明なセラミック粉末とから作られ、ＰＥＴ樹脂シートの非対向面に塗布された透明なＵＶ樹脂をバインダーとして保護シートがその非対向面に接合されている広告機能付きフロアーマットは、ＰＥＴ樹脂シートに保護シートを接合することによって上部シートの強度が向上し、上部シートが踏みつけられたとしても上部シートが傷つき難く、支持プレートを長期間にわたって使用することができる。
【図面の簡単な説明】
【００２０】
【図１】一例として示す広告機能付きフロアーマットの斜視図。
【図２】固定フレームと支持プレートと設置マットと広告シートとを分離した状態で示す広告機能付きフロアーマットの分解斜視図。
【図３】図２の３−３線端面図。
【図４】図３の４−４線端面図。
【図５】他の一例として示す広告機能付きフロアーマットの斜視図。
【図６】設置マットと支持プレートと広告シートとを分離した状態で示す広告機能付きフロアーマットの分解斜視図。
【図７】図６の７−７線端面図。
【図８】図５の８−８線端面図。
【発明を実施するための形態】
【００２１】
一例として示す広告機能付きフロアーマット１０Ａの斜視図である図１等の添付の図面を参照し、本発明に係る広告機能付きフロアーマットの詳細を説明すると、以下のとおりである。なお、図２は、固定フレーム１１と支持プレート１２と設置マット１３と広告シート１４とを分離した状態で示すフロアーマット１０Ａの分解斜視図であり、図３は、図２の３−３線端面図である。図４は、図３の４−４線端面図である。図１，２では、前後方向を矢印Ａ、横方向を矢印Ｂで示し、上下方向を矢印Ｃで示す。
【００２２】
図１に示す広告機能付きフロアーマット１０Ａは、販売品またはレンタル品として料金の支払いにより、店舗や宿泊施設、娯楽施設、生産施設、受付フロアー等の出入口や床等の必要な設置場所に設置され、店舗や宿泊施設、娯楽施設、生産施設、受付フロアー等において所定の商品や役務の宣伝広告に利用される。この広告機能付きフロアーマット１０Ａは、固定フレーム１１、透明な支持プレート１２、設置マット１３、広告シート１４から構成されている。
【００２３】
固定フレーム１１は、ゴム系素材から作られて可撓性かつ弾力性を有する。固定フレーム１１は、その平面形状が横方向へ長い方形に成形されている。固定フレーム１１は、互いに並行して前後方向へ延びる一対の第１フレーム１５および第２フレーム１６と、互いに並行して横方向へ延びる一対の第３フレーム１７および第４フレーム１８とから形成されている。第１〜第４フレーム１５〜１８は、それらフレーム１５〜１８の交差箇所において互いに連結されている。固定フレーム１１は、横方向へ長い方形の枠を作っている。
【００２４】
第１および第２フレーム１５，１６は、上下方向へ延びる中心線Ｓから横方向外方へ延びる外周縁部１９（スロープ部）と、中心線Ｓから横方向内方へ延びる内周縁部２０（スロープ部）とを有する（図３参照）。第３および第４フレーム１７，１８は、上下方向へ延びる中心線Ｓから前後方向外方へ延びる外周縁部１９（スロープ部）と、中心線Ｓから前後方向内方へ延びる内周縁部２０（スロープ部）とを有する（図３参照）。
【００２５】
第１および第２フレーム１５，１６の外周縁部１９は、中心線Ｓから横方向外方に向かうにつれて下り勾配に傾斜する上面２１と、設置場所に当接する下面２２とを有する。第１および第２フレーム１５，１６の外周縁部１９の下面２２は、中心線Ｓから横方向外方へ向かって平坦に延びている。第３および第４フレーム１７，１８の外周縁部１９は、中心線Ｓから前後方向外方に向かうにつれて下り勾配に傾斜する上面２１と、設置場所に当接する下面２２とを有する。第３および第４フレーム１７，１８の外周縁部１９の下面２２は、中心線Ｓから前後方向外方へ向かって平坦に延びている。それらフレーム１５〜１８の外周縁部１９の先端は、その厚み寸法（上下方向の寸法）が略０である。
【００２６】
第１および第２フレーム１５，１６の内周縁部２０は、中心線Ｓから横方向内方に向かうにつれて上り勾配に傾斜した後に下り勾配に傾斜する上面２３と、設置場所に対向する下面２４とを有する。第３および第４フレーム１７，１８の内周縁部２０は、中心線Ｓから前後方向内方に向かうにつれて上り勾配に傾斜した後に下り勾配に傾斜する上面２３と、設置場所に対向する下面２４とを有する。それらフレーム１５〜１８の内周縁部２０の先端は、その厚み寸法（上下方向の寸法）が略０である。
【００２７】
それらフレーム１５〜１８の内周縁部２０の下面２４には、固定部分２５と嵌入凹部２６とが形成されている。第１および第２フレーム１５，１６の固定部分２５は、中心線Ｓから横方向内方へ向かって平坦に延びている。第３および第４フレーム１７，１８の固定部分２５は、中心線Ｓから前後方向内方へ向かって平坦に延びている。第１および第２フレーム１５，１６の嵌入凹部２６は、内周縁部２０のうちの固定部分２５の横方向外方（外側近傍）であって、中心線Ｓと固定部分２５との間に形成されている。第３および第４フレーム１７，１８の嵌入凹部２６は、内周縁部２０のうちの固定部分２５の前後方向外方（外側近傍）であって、中心線Ｓと固定部分２５との間に形成されている。嵌入凹部２６は、内周縁部２０の下面２４において上下方向上方へ向かって凹んでいる。外周縁部１９と内周縁部２０との下面２２，２４では、内周縁部２０の固定部分２５が外周縁部１９の下面２２よりも上下方向上方に位置し、固定部分２５と外周縁部１９の下面２２との間に段差が形成されている。
【００２８】
支持プレート１２は、可撓性かつ弾力性を有し、その平面形状が横方向へ長い方形に成形されている。支持プレート１２は、その面積が設置マット１３のそれよりも小さく、その硬度が固定フレーム１１や設置マット１３のそれよりも大きい。支持プレート１２は、所定面積を有し、固定フレーム１１（第１〜第４フレーム１５〜１８）に囲まれた部分（広告シート１４）を覆う。支持プレート１２は、互いに並行して前後方向へ延びる第１縁部２７（周縁部）および第２縁部２８（周縁部）と、互いに並行して横方向へ延びる第３縁部２９（周縁部）および第４縁部３０（周縁部）と、それら縁部２７〜３０を除く残余の広告目視部３１とを有する。支持プレート１２の第１〜第４縁部２７〜３０には、粘着剤３２（固定手段）が塗布されている。支持プレート１２では、広告目視部３１において広告シート１４を目視することができる。
【００２９】
支持プレート１２は、図示はしていないが、設置マット１３に対向する透明なＰＥＴ樹脂シートと、ＰＥＴ樹脂シートの上下方向上方（ＰＥＴ樹脂シートの設置マット１３に対する非対向面）に配置された透明な保護シートとから形成されている。ＰＥＴ樹脂シートは、設置マット１３に対向する下面（設置マット１３に対する対向面）と、設置マット１３に非対向の上面（設置マット１３に対する非対向面）とを有する。保護シートは、透明な合成樹脂と、その合成樹脂に練り込まれた透明なセラミック粉末とから作られている。保護シートは、ＰＥＴ樹脂シートの上面（非対向面）に塗布された透明なＵＶ樹脂をバインダーとしてＰＥＴ樹脂シートの上面に接合されている。
【００３０】
支持プレート１２の第１縁部２７は、第１フレーム１５の内周縁部２０の下面２４に形成された固定部分２５に粘着材３２を介して固定され、支持プレート１２の第２縁部２８は、第２フレーム１６の内周縁部２０の下面２４に形成された固定部分２５に粘着材３２を介して固定されている（図４参照）。支持プレート１２の第３縁部２９は、第３フレーム１７の内周縁部２０の下面２４に形成された固定部分２５に粘着材３２を介して固定され、支持プレート１２の第４縁部３０は、第４フレーム１８の内周縁部２０の下面２４に形成された固定部分２５に粘着材３２を介して固定されている（図４参照）。
【００３１】
設置マット１３は、ゴム系素材から作られて可撓性かつ弾力性を有する。設置マット１３は、その平面形状が横方向へ長い方形に成形されている。設置マット１３は、所定面積を有し、固定フレーム１１および支持プレート１２の下方に配置される。設置マット１３は、それを形成するゴム系素材の柔軟性が固定フレーム１１を形成するゴム系素材のそれよりも大きい。また、設置マット１３は、それを形成するゴム系素材の摩擦係数が固定フレーム１１を形成するゴム系素材のそれよりも大きい。
【００３２】
設置マット１３は、互いに並行して前後方向へ延びる第１縁部３３（周縁部）および第２縁部３４（周縁部）と、互いに並行して横方向へ延びる第３縁部３５（周縁部）および第４縁部３５（周縁部）と、それら縁部３３〜３６を除く残余の中央載置部３７とを有する。設置マット１３の第１〜第４縁部３３〜３６には、上下方向上方へ凸となる嵌入凸部３８が形成されている。嵌入凸部３８は、固定フレーム１１に形成された嵌入凹部２６の大きさよりもわずかに大きく、嵌入凹部２６に挿脱可能に嵌入（圧入）する。設置マット１３の中央載置部３７には、広告シート１４が載置される。
【００３３】
広告シート１４は、紙やプラスチックシートから作られ、図示はしていないが、その少なくとも一面に所定の広告（文字、図形、記号、写真等の広告媒体）が表示されている。広告シート１４は、支持プレート１２と設置マット１３との間に着脱可能に配置される。なお、図２では、１枚の広告シート１４を図示しているが、複数枚の広告シート１４を横方向や前後方向へ並べた状態でそれら広告シート１４を支持プレート１２と設置マット１３との間に配置することもできる。
【００３４】
以下、この広告機能付きフロアーマット１０Ａの使用手順の一例を説明する。最初に設置マット１３の中央載置部３７の上面３９に広告シート１４を載置する。次に、設置マット１３の第１縁部３３に形成された嵌入凸部３８を固定フレーム１１の第１フレーム１５に形成された嵌入凹部２６に嵌入させ、第２縁部３４に形成された嵌入凸部３８を第２フレーム１６に形成された嵌入凹部２６に嵌入させる。さらに、設置マット１３の第３縁部３５に形成された嵌入凸部３８を固定フレーム１１の第３フレーム１７に形成された嵌入凹部２６に嵌入させ、第４縁部３６に形成された嵌入凸部３８を第４フレーム１８に形成された嵌入凹部２６に嵌入させる。
【００３５】
設置マット１３の嵌入凸部３８を固定フレーム１１の嵌入凹部２６に嵌入させる場合、嵌入凸部３８の大きさが嵌入凹部２６のそれよりもわずかに大きく、かつ、設置マット１３を形成するゴム系素材の柔軟性が固定フレーム１１を形成するゴム系素材のそれよりも大きいから、嵌入凸部３８が弾性変形しつつ嵌入凹部２６に圧入される。嵌入凸部３８を嵌入凹部２６に圧入（嵌入）すると、支持プレート１２を取り付けた固定フレーム１１が設置マット１３の上面３９に設置されるとともに、広告シート１４が支持プレート１２の下面と設置マット１３の上面３９との間に固定される。なお、固定フレーム１１の内周縁部２０の固定部分２４がフレーム１１の外周縁部１９の下面２２よりも上下方向上方に位置しているから、設置マット１３の嵌入凸部３８をフレーム１１の嵌入凹部２６に嵌入させたときに、設置マット１３の下面４０とフレーム１１の外周縁部１９の下面２２とが同一平面になる（図４参照）。
【００３６】
このフロアーマット１０Ａでは、嵌入凸部３８が嵌入凹部２６に圧入されることで、凸部３８が凹部２６に固定され、凸部３８が凹部２６から外れ難くなり、凹部２６に対する凸部３８の嵌入状態を保持することができ、広告シート１４をマット１０Ａに確実に支持させることができる。フロアーマット１０Ａは、その上を人が歩行したとしても、設置マット１３の嵌入凸部３８が固定フレーム１１の嵌入凹部２６から外れることはなく、固定フレーム１１と設置マット１３との係合が容易に解除されることによる人のつまずきを防ぐことができる。
【００３７】
フロアーマット１０Ａでは、設置マット１３を形成するゴム系素材の摩擦係数が固定フレーム１１を形成するゴム系素材のそれよりも大きく、フロアーマット１０Ａを設置場所に設置した場合、設置場所に接する設置マット１３の摩擦抵抗が大きいから、フロアーマット１０Ａが設置場所において滑り難く、設置場所におけるフロアーマット１０Ａの不用意なずれ動きを防ぐことができる。フロアーマット１０Ａは、その上を人が歩行したとしても、マット１０Ａがずれ動くことはなく、マット１０Ａが容易にずれ動くことによる人のつまずきを防ぐことができる。
【００３８】
広告シート１１を支持プレート１２と設置マット１３との間に固定した後、このフロアーマット１０Ａを店舗や宿泊施設、娯楽施設、生産施設、受付フロアー等の出入口や床等の設置場所に置く。フロアーマット１０Ａは、店舗や宿泊施設、娯楽施設、生産施設、受付フロアー等を利用する人がそれの上（支持プレート１２の広告目視部３１の上）を通過するときに、広告シート１１に表示された広告が支持プレート１２を透過して目に入り、その広告の内容を認識する。
【００３９】
広告内容の変更が生じ、広告シート１１をあらたなそれに差し替える場合、嵌入凹部２６とそれに圧入された嵌入凸部３８との抵抗に抗して凸部３８を凹部２６から引き抜き、凹部２６と凸部３８との係合を解除する。次に、支持プレート１２と設置マット１３との間から広告シート１４を取り出し、あらたな広告シート１４を設置マット１３の中央載置部３７に載置した後、上述した手順によって支持プレート１２を取り付けた固定フレーム１１を設置マット１３の上面３９に設置し、広告シート１４を支持プレート１２と設置マット１３との間に固定する。広告シート１１をあらたなそれに差し替えた後、フロアーマット１０Ａを設置場所に置く。
【００４０】
広告機能付きフロアーマット１０Ａは、設置マット１３に形成された嵌入凸部３８を固定フレーム１１に形成された嵌入凹部２６に嵌入（圧入）させることで、所定の広告を表示した広告シート１４が支持プレート１２の下面と設置マット１３の上面３９との間に挟み込まれた状態で固定され、嵌入凸部３８を嵌入凹部２６から外すことで、広告シート１４の固定が解除されるから、固定フレーム１１と設置マット１３との間に広告シート１４を着脱可能に配置することができる。フロアーマット１０Ａは、透明な支持プレート１２の広告目視部３１において所定の広告を表示した広告シート１４を目視することができるから、フロアーマット１０Ａを必要な箇所（設置場所）に置くだけで、そのフロアーマット１０Ａに優れた広告宣伝機能を発揮させることができる。
【００４１】
広告機能付きフロアーマット１０Ａは、それ自体を替えることなく、広告シート１４を自由に差し替えることができ、広告内容の変更要求に適時に対応することができるのみならず、広告内容に変更が生じたとしても、マット１０Ａ自体を替える必要がないから、その分の手間や費用を省くことができる。フロアーマット１０Ａは、各種の広告シート１４を配置した状態で、それを自由に移動させることができるから、必要な場所において宣伝広告を行うことができ、さらに、必要に応じて広告シート１４を自由に差し替えることができるから、宣伝場所や宣伝目的に合致した最適な広告を行うことができ、広告宣伝効果を最大限に発揮させることができる。フロアーマット１０Ａは、設置マット１３の嵌入凸部３８を固定フレーム１１の嵌入凹部２６に嵌入させたときに、設置マット１３の下面４０とフレーム１１の外周縁部１９の下面２２とが同一平面になるから、設置場所に置いたマット１０Ａに部分的に不要な凸凹が生じることはなく、マット１０Ａの上を通る人のつまずきや物の転倒を防ぐことができる。
【００４２】
図５は、他の一例として示す広告機能付きフロアーマット１０Ｂの斜視図であり、図６は、設置マット５０と支持プレート５１と広告シート５２とを分離した状態で示すフロアーマット１０Ｂの分解斜視図である。図７は、図６の７−７線端面図であり、図８は、図５の８−８線端面図である。図５，６では、前後方向を矢印Ａ、横方向を矢印Ｂで示し、上下方向を矢印Ｃで示す。
【００４３】
図５に示す広告機能付きフロアーマット１０Ｂは、図１に示すそれと同様に、販売品またはレンタル品として料金の支払いにより、店舗や宿泊施設、娯楽施設、生産施設、受付フロアー等の出入口や床等の必要な設置場所に設置され、店舗や宿泊施設、娯楽施設、生産施設、受付フロアー等において所定の商品や役務の宣伝広告に利用される。この広告機能付きフロアーマット１０Ｂは、設置マット５０、透明な支持プレート５１、広告シート５２から構成されている。広告シート５２は、広告シート１４と同一である。
【００４４】
設置マット５０は、ゴム系素材から作られて可撓性かつ弾力性を有する。設置マット５０は、その平面形状が横方向へ長い方形に成形されている。設置マット５０は、広告シート５２を載置する所定面積の中央載置部５３と、互いに並行して前後方向へ延びる第１縁部５４（周縁部）および第２縁部５５（周縁部）と、互いに並行して横方向へ延びる第３縁部５６（周縁部）および第４縁部５７（周縁部）と、それら縁部５４〜５７につながってそれら縁部５４〜５７から中央載置部５３に向かって張り出す支持フランジ５８とを有する。設置マット５０の中央載置部５３には、広告シート５２が載置される。
【００４５】
第１および第２縁部５４，５５は、中央載置部５３の側から横方向外方に向かうにつれて下り勾配に傾斜する上面５９と、設置場所に当接する下面６０とを有する。第１および第２縁部５４，５５の下面６０は、中央載置部５３の側から横向外方へ向かって平坦に延びている。第３および第４縁部５６，５７は、中央載置部５３の側から前後方向外方に向かうにつれて下り勾配に傾斜する上面５９と、設置場所に当接する下面６０とを有する。第３および第４縁部５６，５７の下面６０は、中央載置部５３の側から前後方向外方へ向かって平坦に延びている。それら縁部５４〜５７の先端は、その厚み寸法（上下方向の寸法）が略０である。中央載置部５３は、広告シート５２を載置する平坦な上面６１と、設置場所に当接する平坦な下面６２とを有する。
【００４６】
第１および第２縁部５４，５５につながる支持フランジ５８は、それら縁部５４，５５から横方向内方へ向かうにつれて下り勾配に傾斜する上面６３と、それら縁部５４，５５から横方向内方へ向かって平坦に延びる下面６４とを有する。第３および第４縁部５６，５７につながる支持フランジ５８は、それら縁部５６，５７から前後方向内方へ向かうにつれて下り勾配に傾斜する上面６３と、それら縁部５６，５７から前後方向内方へ向かって平坦に延びる下面６４とを有する。支持フランジ５８の下面６４は、中央載置部５３の上面６１に重なっている。
【００４７】
第１縁部５４と第４縁部５７とが交差する角部６５に位置する支持フランジ５８には、設置マット５０の中央載置部５３から径方向外方へ延びる切り込み６６が形成されている。角部６５に対して横方向（一方向）へ並ぶ角部６７（第２縁部５５と第４縁部５７とが交差する角部６７）に位置する支持フランジ５８には、設置マット５０の中央載置部５３から径方向外方へ延びる切り込み６８が形成されている。なお、第１縁部５４と第３縁部５６とが交差する角部や第２縁部５５と第３縁部５６とが交差する角部に角部６５，６７と同一の切り込みが形成されていてもよい。
【００４８】
支持プレート５１は、可撓性かつ弾力性を有し、その平面形状が横方向へ長い方形に成形されている。支持プレート５１は、その面積が設置マット５０のそれよりも小さい。支持プレート５１は、互いに並行して前後方向へ延びる第１縁部６９（周縁部）および第２縁部７０（周縁部）と、互いに並行して横方向へ延びる第３縁部７１（周縁部）および第４縁部７２（周縁部）と、それら縁部６９〜７１を除く残余の広告目視部７３とを有する。支持プレート５１では、広告目視部７３において広告シート５２を目視することができる。
【００４９】
支持プレート５１は、支持プレート１２と同様に、設置マット５０に対向する透明なＰＥＴ樹脂シートと、ＰＥＴ樹脂シートの上下方向上方（ＰＥＴ樹脂シートの設置マット５０に対する非対向面）に配置された透明な保護シートとから形成されている。ＰＥＴ樹脂シートは、設置マット５０に対向する下面（設置マット５０に対する対向面）と、設置マット５０に非対向の上面（設置マット５０に対する非対向面）とを有する。保護シートは、透明な合成樹脂と、その合成樹脂に練り込まれた透明なセラミック粉末とから作られている。保護シートは、ＰＥＴ樹脂シートの上面（非対向面）に塗布された透明なＵＶ樹脂をバインダーとしてＰＥＴ樹脂シートの上面に接合されている。
【００５０】
以下、この広告機能付きフロアーマット１０Ｂの使用手順の一例を説明する。最初に設置マット１３の角部６５と角部６７との間に延びる支持フランジ５８を上下方向上方へ捲り上げ、支持フランジ５８の下面６４と中央載置部５３の周縁部分７４の上面６１との間に広告シート５２の周縁部を挿入し、広告シート５２を中央載置部５３の上面６１に載置する。次に、設置マット５０の角部６５と角部６７との間に延びる支持フランジ５８を上下方向上方へ再び捲り上げ、支持フランジ５８の下面６４と中央載置部５３の周縁部分７４の上面６１との間に支持プレート５１の縁部６９〜７２を挿入し、支持フランジ５８を中央載置部５３の上面６１に配置する。上下方向上方へ捲り上げた支持フランジ５８は、上下方向下方に旋回し、その下面６４が支持プレート５１に当接する。
【００５１】
支持プレート５１の縁部６９〜７２は、支持フランジ５８の下面６４と設置マット５０の中央載置部５３の周縁部分７４の上面６１との間に挟み込まれた状態で固定される。広告シート５２は、支持プレート５１の下面と設置マット５０の上面６１との間に挟み込まれた状態で固定される。広告シート５２を設置マット５０と支持プレート５１との間に固定した後、このフロアーマット１０Ｂを店舗や宿泊施設、娯楽施設、生産施設、受付フロアー等の出入口や床等の設置場所に置く。フロアーマット１０Ｂは、店舗や宿泊施設、娯楽施設、生産施設、受付フロアー等を利用する人がそれの上（支持プレート５０の広告目視部７３の上）を通過するときに、広告シート５２に表示された広告が支持プレート５１を透過して目に入り、その広告の内容を認識する。
【００５２】
広告内容の変更が生じ、広告シート５２をあらたなそれに差し替える場合、設置マット５０の角部６５と角部６７との間に延びる支持フランジ５８を上下方向上方へ捲り上げ、支持フランジ５８の下面６４と設置マット５０の中央載置部５３の周縁部分７４の上面６１との間から支持プレート５１の縁部６９〜７２を引き抜き、設置マット５０と支持プレート５１とを分離させるとともに、支持フランジ５８の下面６４と設置マット５０の中央載置部５３の周縁部分７４の上面６１との間から広告シート５２の周縁部を引き抜き、広告シート５２を設置マット５０の中央載置部５３から取り外す。次に、あらたな広告シート５２を設置マット５０の中央載置部５３に載置した後、上述した手順によって支持プレート５１を設置マット５０に設置し、広告シート５２を設置マット５０と支持プレート５１との間に固定する。広告シート５２をあらたなそれに差し替えた後、フロアーマット１０Ｂを設置場所に置く。
【００５３】
広告機能付きフロアーマット１０Ｂは、支持プレート５１の各縁部６９〜７２（周縁部）を支持フランジ５８の下面６３と設置マット５０の中央載置部５３の周縁部分７４の上面６１との間に挿入することで、所定の広告を表示した広告シート５２が支持プレート５１の下面と設置マット５０の上面６１との間に挟み込まれた状態で固定され、支持プレート５１を支持フランジ５８と設置マット５０の中央載置部５３との間から外すことで、広告シート５２の固定が解除されるから、支持プレート５１と設置マット５０との間に広告シート５２を着脱可能に配置することができる。フロアーマット１０Ｂは、透明な支持プレート５１の広告目視部７３において所定の広告を表示した広告シート５２を目視することができるから、フロアーマット１０Ｂを必要な箇所（設置場所）に置くだけで、そのフロアーマット１０Ｂに優れた広告宣伝機能を発揮させることができる。
【００５４】
広告機能付きフロアーマット１０Ｂは、それ自体を替えることなく、広告シート５２を自由に差し替えることができ、広告内容の変更要求に適時に対応することができるのみならず、広告内容に変更が生じたとしても、マット１０Ｂ自体を替える必要がないから、その分の手間や費用を省くことができる。フロアーマット１０Ｂは、各種の広告シート５２を配置した状態で、それを自由に移動させることができるから、必要な場所において宣伝広告を行うことができ、さらに、必要に応じて広告シート５２を自由に差し替えることができるから、宣伝場所や宣伝目的に合致した最適な広告を行うことができ、広告宣伝効果を最大限に発揮させることができる。
【００５５】
フロアーマット１０Ｂは、角部６５，６７に形成された切り込み６６，６８の間に延びる支持フランジ５８を上下方向上方へ捲り上げることができるから、支持フランジ５８の下面６４と設置マット５０の中央載置部５３の周縁部分７４の上面６１との間に広告シート５２の周縁部を容易に挿入することができるとともに、支持プレート５１の各縁部６９〜７２を支持フランジ５８の下面６３と中央載置部５３の周縁部分７４の上面６１との間に容易に挿入することができる。また、広告シート５２を支持フランジ５８と設置マット５０の中央載置部５３との間から容易に外すことできるとともに、支持プレート５１を支持フランジ５８と設置マット５０の中央載置部５３との間から容易に外すことできる。
【符号の説明】
【００５６】
１０Ａ  広告機能付きフロアーマット
１０Ｂ  広告機能付きフロアーマット
１１    固定フレーム
１２    支持プレート
１３    設置マット
１４    広告シート
１９    外周縁部
２０    内周縁部
２５    固定部分
２６    嵌入凹部
２７    第１縁部（周縁部）
２８    第２縁部（周縁部）
２９    第３縁部（周縁部）
３０    第４縁部（周縁部）
３１    広告目視部
３２    粘着材（固定手段）
３３    第１縁部（周縁部）
３４    第２縁部（周縁部）
３５    第３縁部（周縁部）
３６    第４縁部（周縁部）
３７    中央載置部
３８    嵌入凸部
５０    設置マット
５１    支持プレート
５２    広告シート
５３    中央載置部
５４    第１縁部（周縁部）
５５    第２縁部（周縁部）
５６    第３縁部（周縁部）
５７    第４縁部（周縁部）
５８    支持フランジ
６５    角部
６６    切り込み
６７    角部
６８    切り込み
６９    第１縁部（周縁部）
７０    第２縁部（周縁部）
７１    第３縁部（周縁部）
７２    第４縁部（周縁部）
７３    広告目視部
７４    周縁部分
【図１】
2012220543.tif 000003
【図２】
2012220543.tif 000004
【図３】
2012220543.tif 000005
【図４】
2012220543.tif 000006
【図５】
2012220543.tif 000007
【図６】
2012220543.tif 000008
【図７】
2012220543.tif 000009
【図８】
2012220543.tif 000010